(57)【要約】      （修正有）【課題】圧力シリンダーの密封効果を改良しかつストッパーに対するピストンの当接する挙動を改良したベルトテンショナーを提供する。【解決手段】円筒状の圧力シリンダー１２と、加圧した流体により負荷が加えられるようにされ、かつこのため、緊張方向に動き得るようにされた、長手方向に向けて圧力シリンダー内にて可動に支持されたピストン１８と、ピストンと相互作用するスラスト手段２０と、圧力シリンダーの内側３８に設けられたストッパー２４であって、ピストンが緊張方向に向けて隣接することができる末端位置において、ピストンが圧力シリンダーを密封するようにした、ストッパーとを備える、シートベルト用のベルトテンショナー、特に、回転式テンショナーにおいて、ストッパーは、塑性変形可能な材料にて出来ており、かつ末端位置にてピストンにより塑性変形されるようにし、このため、ピストンは、圧力シリンダーの内側と密封的に接触する。【選択図】図３
2019064587.tif 000002
【特許請求の範囲】
【請求項１】
細長く、かつ好ましくは、円筒状の圧力シリンダー（１２）と、加圧した流体により負荷が加えられるようにされ、かつこのため、緊張方向（Ｓ）に動き得るようにされた、圧力シリンダー（１２）内にて長手方向に可動に支持されたピストン（１８）と、該ピストン（１８）と相互作用するスラスト手段（２０）と、圧力シリンダー（１２）の内側（３８）に設けられたストッパー（２４）であって、ピストン（１８）が圧力シリンダー（１２）を密封するようにした、末端位置にて、ピストン（１８）が緊張方向（Ｓ）に向けて隣接することができる、前記ストッパー（２４）とを備える、シートベルト用のベルトテンショナー（１０）、特に、回転式テンショナーにおいて、
前記ストッパー（２４）は、塑性変形可能な材料にて出来ており、かつ末端位置にてピストン（１８）により塑性変形されるようにし、このため、ピストンは、圧力シリンダー（１２）の内側と密封的に接触するようにしたことを特徴とする、ベルトテンショナー。
【請求項２】
請求項１に記載のベルトテンショナーにおいて、ストッパー（２４）は、圧力シリンダーの直径の収縮部により、特に、周方向を向いた周縁の収縮部により形成されることを特徴とする、ベルトテンショナー。
【請求項３】
請求項２に記載のベルトテンショナーにおいて、収縮部は、圧力シリンダー（１２）の内側（３８）にて肩部又は傾斜部を形成することを特徴とする、ベルトテンショナー。
【請求項４】
請求項１から３の何れかの項に記載のベルトテンショナーにおいて、ピストン（１８）は、特に、緊張方向（Ｓ）に向けて見た前端にて、特別に、周方向を向いた周縁であり、かつストッパー（２４）と相互作用する切刃部（３０）を含むことを特徴とする、ベルトテンショナー。
【請求項５】
請求項１から４の何れかの項に記載のベルトテンショナーにおいて、ピストン（１８）の直径は、緊張方向（Ｓ）と反対方向に減少し、特に、ピストンは、少なくとも部分的にテーパーが付けられることを特徴とする、ベルトテンショナー。
【請求項６】
請求項１から５の何れかの項に記載のベルトテンショナーにおいて、ピストン（１８）は、ストッパー（２４）と相互作用する減速要素（２６）と、該減速要素（２６）の下流にて緊張方向（Ｓ）に向けて設けられた密封要素（２８）とを備え、該密封要素（２８）は、圧力シリンダー（１２）を密封することを特徴とする、ベルトテンショナー。
【請求項７】
請求項６に記載のベルトテンショナーにおいて、
減速要素（２６）及び密封要素（２８）は接着剤フォースクロージャー及び／又はフォームクロージャーにより相互に接続されることを特徴とする、ベルトテンショナー。
【請求項８】
請求項６又は７に記載のベルトテンショナーにおいて、減速要素（２６）は、後側部から突き出すことが好ましく、かつ密封要素（２８）内に伸長する伸長部（３２）を含むことを特徴とする、ベルトテンショナー。
【請求項９】
請求項１から８の何れかの項に記載のベルトテンショナーにおいて、ピストン（１８）は、スラスト手段（２０）に対する特別に凸型又は部分球形の接触面（３６）を含むことを特徴とする、ベルトテンショナー。
【請求項１０】
請求項１から９の何れかの項に記載のベルトテンショナーにおいて、スラスト手段（２０）は、ベルトリールを駆動する歯車（２２）と相互作用する歯付きラック又は可撓性のスラストロッドであることを特徴とする、ベルトテンショナー。
【請求項１１】
請求項１から１０の何れかの項に記載のベルトテンショナーにおいて、圧力シリンダー（１２）と流体的に連通しかつ流体を提供するインフレータ（１６）が設けられることを特徴とする、ベルトテンショナー。
【発明の詳細な説明】
【技術分野】
【０００１】
本発明は、細長く、かつ好ましくは、円筒状の圧力シリンダーと、加圧した流体により負荷が加えられるようにされ、かつこのため、緊張方向に動き得るようにされた、長手方向に向けて圧力シリンダー内にて可動に支持されたピストンと、該ピストンと相互作用するスラスト手段と、圧力シリンダーの内側に設けられたストッパーであって、ピストンが圧力シリンダーを密封するようにした末端位置にてピストンが緊張方向に当接することができる上記ストッパーとを備える、シートベルト用のベルトテンショナー、特に、回転式テンショナーに関する。
【背景技術】
【０００２】
先行技術から、インフレータを備えるベルトテンショナーが知られており、該テンショナーは、圧力シリンダーを含み、該圧力シリンダー内にて長手方向に向けて可動に支持されたピストンは、圧力流体により緊張方向に動くことができる。ベルトリールと相互作用するスラスト手段、例えば、歯付きラックは、ピストンにより押しのけられ、このため、ベルトリールが緊張方向に回転されるようにする。圧力シリンダーの内側にはストッパーが設けられており、該ストッパーに対してピストンは、緊張方向に向けて当接し、このため、圧力シリンダー外に動くことはできない。ストッパー及び／またはピスンは、ピストンがストッパーに当接するとき、圧力シリンダーが密封されるような構造とされている。このことは、圧力流体、特に、インフレータからの熱ガスが圧力シリンダーから逃げるのを確実に防止することになる。
【発明の概要】
【発明が解決しようとする課題】
【０００３】
本発明の目的は、圧力シリンダーの密封効果を改良しかつストッパーに対するピストンの当接する挙動を改良する冒頭記載の型式のベルトテンショナーを提供することである。
【課題を解決するための手段】
【０００４】
この目的を実現するため、細長く、かつ好ましくは、円筒状の圧力シリンダーと、加圧した流体により負荷が加えられるようにされ、かつこのため、緊張方向に動き得るようにされた、長手方向に向けて圧力シリンダー内にて可動に支持されたピストンと、該ピストンと相互作用するスラスト手段と、圧力シリンダーの内側に設けられたストッパーであって、ピストンが圧力シリンダーを密封するようにした末端位置にてピストンが緊張方向に当接することができる上記ストッパーとを備える、シートベルト用のベルトテンショナー、特に、回転式テンショナーが提供される。本発明に従って、塑性変形可能な材料から成り、末端位置にてピストンにより塑性変形されるようにし、このため、ピストンは圧力シリンダーの内側と密封的に接触するようにしたストッパーが提供される。
【０００５】
先行技術から既知のベルトテンショナーにおいて、ピストンが末端位置まで動くとき、ストッパーは変形されない。密封は、ピストンがストッパーに当接することにより行われ、この場合、ピストン及びストッパーの双方は確実な密封効果が得られるよう最小の製造公差にて製造しなければならない。これと代替的に、圧力シリンダー内の上昇する圧力により変形される追加的な密封要素を配置することができ、該密封要素は、周方向に向けて圧力シリンダーの内側にて周縁において隣接するようにする。本発明に従って提供されたストッパーの変形は、ピストンとストッパーとの間の密封作用を改良することになり，それは、ストッパーが変形することができ、ピストンは圧力シリンダーの内側と密封的に接触するからである。本発明に従ったベルトテンショナーは、更に、ピストンがストッパーを変形させることによってよりゆっくりと減速することができ、該ピストンの減速する挙
動はストッパー、特に、ピストンの材料を選ぶことにより、また、ストッパーの形状を選ぶことにより影響を与えることができるという利点を提供する。
【０００６】
ストッパーは、例えば、圧力シリンダーの直径の収縮部により形成することができ、このため、ストッパーを簡単な手段により圧力シリンダー内に形成することを可能にする。ストッパーは、周方向を向いた周縁の収縮部により特別に形成し、ピストンは、周方向に向けて圧力シリンダーの内側に対して完全に周縁において隣接し、このため、適正な密封作用を実現することができる。更に、ピストンは、ピストンの片側だけの減速に起因して生ずるであろう傾動が防止される。
【０００７】
ピストンの減速性能は、ストッパーの幾何学的形態より影響を与えることができる。この目的のため、収縮部は、ショルダー部を有することができるが、減速過程の開始時から多量の材料を変形させなければならないから、該ショルダー部によりピストンは急激に減速される。１つの代替例として、該収縮部は、圧力シリンダーの内側の傾斜部により形成してもよいが、押しのけるべき材料の量は停止距離の増加と共に増すから、停止距離の増加と共に、減速力の増大は遅くなる。
【０００８】
該ピストンは、例えば、ストッパーの材料を押しのけることができる。しかし、該ピストンは、掻き取り（ｃｈｉｐ）によりストッパーの材料を変形させることも考えられ、この場合、特に分離しない小片部（ｃｈｉｐ）が形成され、このため、ストッパーの残留材料が圧力シリンダーから落ちることはない。このため、ピストンは、特に、緊張方向に向けた前端にてストッパーと相互作用する切刃部を含む。
【０００９】
上記の切刃部は、ストッパーの領域内にて周方向に向けてのみ提供することができる。好ましくは、該切刃部は、ピストンの周方向に向けて周縁に形成にされ、このため、圧力シリンダー内のピストンの向きと独立的に切断効果が実現される。
【００１０】
ピストンの直径は、例えば、緊張方向と反対方向に向けて減少する。細長い圧力シリンダーは、一部分、湾曲し又は円弧状の形状となるような構造とすることもできる。連続的に一定の直径を有するピストンは、圧力シリンダーの曲率に依存して、曲り部にて動かなる可能性があり、このため、ピストン又は圧力シリンダーを変形させることによってのみ更なる動きが可能である。ピストンは、緊張方向と反対の方向に向けて減少する直径を有するから、ストッパーを変形させるピストンの先端部分のみが圧力シリンダーの内側に隣接することが保証される。ピストンの直径の減少は、ピストンの後部領域は、圧力シリンダーの内側から全体的に、すなわち、圧力シリンダーの湾曲した部分内にても十分な距離を有し、このため、ピストンは、圧力区画室の曲率部を通じてさえ動くことが可能である。
【００１１】
ピストンは、例えば、一体的に形成するとことができる。しかし、該ピストンは、多数部品から成る構造とし、かつストッパーと相互作用する減速要素と、及び減速要素の下流にて緊張方向に向けて設けられた密封要素とを含み、該密封要素は圧力シリンダーを密封するようにする。この実施の形態において、減速要素は、ストッパーを変形させ得るようにした硬質な材料にて出来たものであることが好ましい。他方、密封要素は、変形により圧力シリンダーの内側に隣接することのできる柔軟な材料にて出来たものである。
【００１２】
好ましくは、減速要素及び密封要素は、接着剤フォースクロージャー及び／又はフォームクロージャーにより接続し、これらが互いに分離できないようにし、また、ストッパーが変形したとき、特に、ピントンが終端位置に到達したとき、圧力シリンダーが密封要素により密封されるようにする。
【００１３】
減速要素及び密封要素を互いに確実に接続するため、減速要素は、例えば、好ましくは、後側部にて突き出しかつ密封要素内に伸びる伸長部を備えている。該密封要素は、該伸長部が伸びる、伸長部に相応する開口を含む。該開口は、伸長部の肥厚部が係合するアンダーカット部を含むことができる。
【００１４】
例えば、該ピストンは、スラスト媒体に対する特別な凸型又は部分球形の接触面を備えるものとする。このようにして、圧力部材の形状に関係なく、ピストンとスラスト媒体との間に確実な接触が形成される。曲率のため、スラスト媒体は、ピストンと接触し、このため、スラスト力は、常に、圧力シリンダーの長手方向に向けてスラスト媒体に作用する。
【００１５】
該スラスト媒体は、例えば、ベルトリールを駆動する歯車と相互作用する歯付きラック又は可撓性のスラストロッドの形態をしている。かかる可撓性のスラストロッドは、例えば、歯車を駆動する歯の浮き出しプロファイルを含む。可撓性のスラストロッドの材料に依存して、かかるスラストロッドは、何らの浮き出しプロファイル無く製造することができ、この場合、歯車の歯は、その押し出す間、スラスト手段内に係合する。
【００１６】
ピストンを駆動するため、圧力シリンダーと流体的に連通しかつ流体を提供する、例えば、インフレータが提供される。
【００１７】
更なる利点及び特徴は、添付図面と組み合わせて以下の説明から明らかになるであろう。
【図面の簡単な説明】
【００１８】
【図１】最初の状態にて長手方向断面図による本発明に従ったベルトテンショナーを示す。
【図２】緊張作用後の図１のベルトテンショナーの詳細図を示す。
【図３】図２のベルトテンショナーの詳細図を示す。
【図４】緊張作用の終了直前の本発明に従ったベルトテンショナーの第二の実施の形態を示す。
【図５】緊張作用の完了後の図４のベルトテンショナーを示す。・。
【発明を実施するための形態】
【００１９】
図１及び図２において、インフレータ１６がダクト１４を介して接続される細長い円筒状の圧力シリンダー１２を備える、車用のベルトテンショナー１０が図示されている。圧力シリンダー１２内にて、緊張方向Ｓに向けて可動に支持されたピストン１８と、歯車２２と相互作用するスラスト手段２０とが設けられており、この場合、スラストロッドがピストン１８の前方にて緊張方向Ｓに向けてかつピストンに隣接する位置に配置されている。
【００２０】
緊張方向Ｓに向けて圧力シリンダー１２の前端には、緊張方向Ｓに向けたピストン１８の動きを規制するストッパー２４が設けられている。該ストッパー２４は、圧力シリンダー１２の片側だけの収縮部により形成され、圧力シリンダーの直径は、ピストン１８の直径より小さいように減少させてある。
【００２１】
特に図３から明らかであるように、ピストン１８は、二つの部分から成る構造とされており、減速要素２６と、緊張方向Ｓに向けてその下流に配置された密封要素２８とを含む。該減速要素２６は、硬質な材料にて出来ている。該密封要素２８は、柔軟な材料にて出来ている。
【００２２】
減速要素２６は、図示した実施の形態にてキノコ状の形状をしており、緊張方向Ｓに向けたその前端にて、ピストン１８の最大直径を規定する切刃部３０を含む。
【００２３】
切刃部３０の後方にて緊張方向Ｓに向けて、ピストン１８、特に減速要素２６の直径は減少し、減速要素２６は、この部分にて緊張方向Ｓの反対方向に向けて実質的にテーパーが付けられている。
【００２４】
後側部にて、減速要素は、密封要素２８の凹所３４内に伸長する伸長部３２を更に含み、このため、これらの要素は、互いに確実に接続される。
【００２５】
減速要素２６の前側部にて、緊張方向Ｓに向けて部分的に球形の形状にて突き出すスラスト手段２０に対する接触面３６が提供されている。
【００２６】
図１から明らかであるように、圧力シリンダー１２の直径は、ピストン１８が圧力シリンダー１２内にて自由に動き得るように選ばれ、また、減速要素２６は圧力シリンダー内にて支持されている。柔軟な材料にて出来た密封要素２８は、僅かに大きい直径を有し、このため、該密封要素は、圧力シリンダー１２の下方領域を上側領域に対して図１に関して密封する。
【００２７】
インフレータ１６から逃げる加圧した流体は、ダクト１４を通って圧力シリンダー１２内に流れ、これによりピストン１８を上昇する圧力により緊張方向Ｓに向けて動かす。緊張方向Ｓに向けて動くピストン１８は、スラスト手段２０を圧力シリンダー１２の外に緊張方向Ｓに向けて押す。該スラスト手段２０は、歯車２２内に係合しかつ該歯車を回転方向Ｄに向けて回転させる。歯車２２は、図示しないベルトリールに結合されている。該ベルトリールは、回転方向Ｄに向けて歯車２２の回転により回転され、ウェブは、ベルトリールに巻き取られ、又は、ベルトバックルに結合されたケーブルは、巻き取られ、従って、シートベルトは緊張する。
【００２８】
ピストン１８は、該ピストンが圧力シリンダー１２のストッパー２４に当接する迄、緊張方向Ｓに向けて動く。該ストッパー２４は、塑性変形可能な材料にて出来ており、このため、該ストッパー２４は、ピストン１８によって変形され、ピストン１８は減速する。更に、圧力シリンダー１２は、ストッパー２４の変形により更に密封される。このことは、例えば、熱ガスのような、加圧した流体が圧力シリンダー１２から車の内部に逃げるのを防止することを確実にする。
【００２９】
ストッパー２４は、圧力シリンダー１２を構成するチューブの塑性的に収縮した部分により特別に形成される。
【００３０】
更に、減速要素２６の後方に配置された密封要素２８は、圧力シリンダー１２内の上昇する圧力により減速要素２６に押し付けられ、減速要素が変形されて、圧力シリンダー１２の内側とピストン１８との間を更に密封する。
【００３１】
図示した実施の形態において、ストッパー２４の材料は、減速要素２６の切刃部３０を削り取ることにより変形され、小片部４０が形成される。切刃部３０及びストッパー２４の材料は、分離しない小片部４０が形成されるように、すなわち、圧力シリンダー１２から分離するストッパー２４の材料が無いように形成される。
【００３２】
スラスト手段２０は、プロファイルの無い可撓性のスラストロッドである。該可撓性のスラストロッドは、比較的柔軟な材料にて出来ており、このため、歯車２２の歯４２は、スラストロッド内に係合し、これにより、スラスト手段２０と歯車２２とを確実に接続す
る。
【００３３】
かかる可撓性のスラストロッドに代えて、上述した浮き出し加工したプロファイルを含むスラストロッド又は剛性な歯付きラックを採用することができる。好ましくは、単一部品から成るスラスト手段が使用されるものとする。
【００３４】
上記のベルトテンショナー１０の第二の実施の形態が図４及び図５に図示されている。該ベルトテンショナー１０の構造は、図１から図３に示したベルトテンショナー１０に実質的に相応する。上記の実施の形態と相違して、圧力シリンダー１２は、細長であるが、湾曲しかつベルトリールを駆動する歯車２２の回りを実質的に伸長する構造とされている。更に、スラスト手段２０に対する受け入れチャンバー４６が提供され、該受け入れチャンバーは、歯車２２の回りにて圧力シリンダー１２内に伸長する。
【００３５】
この実施の形態においても、ピストン１８は、該ピストン１８がストッパー２４に当接しかつ該ストッパーを変形させる迄、加圧した流体により緊張方向に向けて動かされる。
【００３６】
図５から明らかであるように、受け入れチャンバー４６は、スラスト手段２０、この場合、プロファイルの無い同等の可撓性のスラストロッドを完全に収容し得るような設計とされている。緊張作用の後、スラスト手段は、圧力シリンダー１２から完全に離れている。このため、歯車２２は、緊張作用の後、スラスト手段２０により動かすことができる。
【００３７】
圧力シリンダー１２が曲がるため、この実施の形態は、ピストン１８、特に、減速要素１６の直径が緊張方向Ｓと反対の切刃部３０から開始して減少し、単に、切刃部３０が圧力シリンダー１２の内側３８に隣接するようにする。
【００３８】
ピストン１８の直径が緊張方向と反対の方向に減少することは、ピストン１８、特に、切刃部の後方に配置された減速要素２６の部分が圧力シリンダー１２の湾曲した部分内にて圧力シリンダー１２の内側３８に隣接しないことを確実にし、かかる隣接する状態となれば、末端位置に到達する前に、圧力シリンダー１２内にてピストン１８は傾動することになるであろう。
【００３９】
図示した双方の実施の形態において、ストッパーは、圧力シリンダー１２の壁の片側の収縮部により形成される。しかし、周方向に向けて完全に周縁の収縮部を提供し、これにより、ピストン１８がストッパー２４に到達したとき、切刃部３０によりストッパー２４に対し完全に周縁において隣接するようにすることも考えられる。勿論、このことは、先の実施の形態に応用することも可能である。
【００４０】
該切刃部３０は、ストッパー２４の領域内にてのみ提供することも可能である。しかし、該切刃部３０は、周方向を向いた周縁の構造とし、常に切刃部３０がストッパー２４に隣接し、かつピストン１８を回転させたとき、該ストッパーを変形させるようにすることもできる。
【００４１】
しかし、ピストン１８、特に、減速要素は、また、ストッパー２４を異なる仕方にて変形させることも可能である。この目的のため、切刃部３０は不要である。
【００４２】
図示した実施の形態において、ピストン１８は、減速要素２６と、密封要素２８とを含む二つの部分にて形成される。これらの部分は、フォームクロージャー及び／または接着剤フォースクロージャーにより相互に接続し、これらが常に圧力シリンダー１２内にて共に動くようにすることができる。しかし、ピストン１８を単一部分にて、すなわち、１つの材料にて製造することも可能である。
【００４３】
部分的に球形の接触面は、特に、湾曲したシリンダー１２を含む、図４及び図５に図示した実施の形態において、ピストン１８とスラスト手段２０との間にて常に信頼性の高い接触状態が確立され、スラスト手段２０に作用する圧力の方向は、常に、圧力シリンダー１２の長手方向に伸長するようにするという利点がある。接触面３６は、また、異なる構造、例えば、凸型又は平面状の構造を有することも可能である。
【００４４】
実施の形態に依存して、接触面は、ピストン１８の前面の全体を覆うことができ、又は、単に、図示した実施の形態におけるように、前側部の一部のみを覆うようにしてみよい。
【００４５】
ピストン１８の減速する特徴は、ストッパー２４及び／または収縮部の形状又は幾何学的形態により随意に対応させることができる。
【００４６】
直径が漸進的に減少するようにすることも考えられる。
【００４７】
更に、圧力シリンダー１２の直径は、連続的にテーパーを付け、これにより、押しのけ距離の増加に伴い、ブレーキ性能が向上するようにすることも可能である。
【００４８】
しかし、ストッパー２４は、例えば、圧力シリンダー１２の内側に配置された突起により又はその他の構成要素により異なる仕方にて形成することもできる。
【図１】
2019064587.tif 000003
【図２】
2019064587.tif 000004
【図３】
2019064587.tif 000005
【図４】
2019064587.tif 000006
【図５】
2019064587.tif 000007
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
細長い円筒状の圧力シリンダー（１２）と、インフレ−タ（１６）からの加圧した流体により負荷が加えられるようにされ、かつこのため、緊張方向（Ｓ）に動き得るようにされた、圧力シリンダー（１２）内にて長手方向に可動に支持されたピストン（１８）と、該ピストン（１８）と相互作用するスラスト手段（２０）と、圧力シリンダー（１２）の内側（３８）に設けられたストッパー（２４）であって、ピストン（１８）が圧力シリンダー（１２）を密封するようにした、末端位置にて、ピストン（１８）が緊張方向（Ｓ）に向けて隣接することができる、前記ストッパー（２４）とを備える、シートベルト用の回転式ベルトテンショナー（１０）であって、
前記ストッパー（２４）は、塑性変形可能な材料にて出来ており、かつ末端位置にてピストン（１８）により塑性変形されるようにし、このため、ピストンは、圧力シリンダー（１２）の内側と密封的に接触するようにした、前記回転式テンショナーにおいて、
前記ピストン（１８）は、ストッパー（２４）と相互作用する減速要素（２６）と、該減速要素（２６）の前記インフレータ（１６）側に隣接して設けられて圧力シリンダー（１２）を密封する有底筒形部形状の密封要素（２８）とを備え、
前記減速要素（２６）は、後側部から突き出して密封要素（２８）の有底筒形部内に伸長する伸長部（３２）を含むことを特徴とする、ベルトテンショナー。
【請求項２】
請求項１に記載のベルトテンショナーにおいて、ストッパー（２４）は、圧力シリンダーの直径の収縮部により、周方向を向いた周縁の収縮部により形成されることを特徴とする、ベルトテンショナー。
【請求項３】
請求項２に記載のベルトテンショナーにおいて、収縮部は、圧力シリンダー（１２）の内側（３８）にて肩部又は傾斜部を形成することを特徴とする、ベルトテンショナー。
【請求項４】
請求項１から３の何れかの項に記載のベルトテンショナーにおいて、ピストン（１８）は、緊張方向（Ｓ）に向けて見た前端にて、周方向を向いた周縁であり、かつストッパー（２４）と相互作用する切刃部（３０）を含むことを特徴とする、ベルトテンショナー。
【請求項５】
請求項１から４の何れかの項に記載のベルトテンショナーにおいて、ピストン（１８）の直径は、緊張方向（Ｓ）と反対方向に減少し、ピストンは、少なくとも部分的にテーパーが付けられることを特徴とする、ベルトテンショナー。
【請求項６】
請求項１から５の何れかに記載のベルトテンショナーにおいて、
減速要素（２６）及び密封要素（２８）は接着剤フォースクロージャー及び／又はフォームクロージャーにより相互に接続されることを特徴とする、ベルトテンショナー。
【請求項７】
請求項１から６の何れかの項に記載のベルトテンショナーにおいて、ピストン（１８）は、前記スラスト手段（２０）に対する凸型又は部分球形の接触面（３６）を含むことを特徴とする、ベルトテンショナー。
【請求項８】
請求項７に記載のベルトテンショナーにおいて、前記スラスト手段（２０）は、ベルトリールを駆動する歯車（２２）と相互作用する歯付きラック又は可撓性のスラストロッドであることを特徴とする、ベルトテンショナー。
【請求項９】
請求項１から８の何れかの項に記載のベルトテンショナーにおいて、圧力シリンダー（１２）と流体的に連通しかつ流体を提供するインフレータ（１６）が設けられることを特徴とする、ベルトテンショナー。
【外国語明細書】
2019064587000001.pdf